(57)【特許請求の範囲】
【請求項１】
それぞれ配向膜が積層された一対の基板間に液晶層を介在させた液晶表示装置において、
１画素を少なくとも４つの領域に分割し、各々の領域内では一方の基板の配向膜に垂直配向が施されると共に他方の基板の配向膜に水平配向が施され、
各領域は隣接しない領域のなかに対の関係にある領域が存在し、この対をなす領域は、水平配向が同一の配向膜に同一方向に施される共に、その配向膜の水平配向によって傾斜する液晶分子の傾斜方向が逆方向になり、
また前記基板の前記配向膜には領域毎に水平配向若しくは垂直配向が施され、隣接する領域には互いに異なる種類の配向処理が施されていることを特徴とする液晶表示装置。
【請求項２】
前記配向膜の水平配向によって傾斜する液晶分子のプレチルト角が４５度以下であることを特徴とする請求項１に記載の液晶表示装置。
【請求項３】
１画素を４つの領域に分割し、前記領域はそれぞれ１画素における４隅に位置するように配置され、１画素の対角線上に位置する２つの領域が対の関係にあることを特徴とする請求項１乃至請求項２記載の液晶表示装置。
【請求項４】
１画素を４つの領域に分割し、前記領域はそれぞれ１画素内に平行に並べて配置され、１つの領域を挟んで並んでいる２つの領域が対の関係にあることを特徴とする請求項１乃至請求項２記載の液晶表示装置。
【請求項５】
分割された前記領域がほぼ等面積であることを特徴とする請求項１乃至請求項４記載の液晶表示装置。
【請求項６】
配向膜の水平配向部分の配向方向が直交するように一対の基板を配置し、前記基板間に負の誘電率異方性を有する液晶を介在させ、一対の前記基板を挟み込むように配置すると共に互いの透過軸又は吸収軸が直交するように配置した一対の偏光板とを備え、前記偏光板を対向する基板の配向膜に施された水平配向の配向方向と前記透過軸又は前記吸収軸が平行になるように配置したことを特徴とする請求項１乃至請求項５記載の液晶表示装置。
【請求項７】
配向膜の水平配向部分の配向方向が直交するように一対の基板を配置し、前記基板間に正の誘電率異方性を有する液晶を介在させ、一対の前記基板を挟み込むように配置すると共に互いの透過軸又は吸収軸が直交するように配置した一対の偏光板とを備え、前記偏光板を対向する基板の配向膜に施された水平配向の配向方向と前記透過軸又は前記吸収軸が４５度をなすように配置したことを特徴とする請求項１乃至請求項５記載の液晶表示装置。
【請求項８】
前記基板の前記配向膜に垂直配向膜を用い、水平配向を施す領域に直線偏光された紫外線を照射して水平配向部分を形成したことを特徴とする請求項１乃至請求項７記載の液晶表示装置。
【発明の詳細な説明】
【０００１】
【発明の属する技術分野】
本発明は、高速応答性及び視角特性に優れた液晶表示装置に関する。
【０００２】
【従来の技術】
液晶表示装置は薄型軽量、低消費電力という特徴があり、携帯端末からパーソナルコンピュータやテレビに至るまで幅広く利用されている。こうした液晶表示装置にはその性能として高速応答や広視角が要求され、その要求を満たすために様々な工夫がなされている。高速応答が可能な液晶表示装置として例えば特開平１０−２０６８３４号に開示されているＨＡＮ（ｈｙｂｒｉｄ  Ａｌｉｇｎｅｄ
Ｎｅｍａｔｉｃ）型液晶表示装置がある。
【０００３】
これらの液晶表示装置を図１４に基づいて説明する。図１４は１画素分の構成を示した図である。第１基板１００はガラス基板１００ａ上に画素電極１００ｂ、配向膜１００ｃが積層され、第２基板１０１はガラス基板１０１ａ上に透明電極１０１ｂ、配向膜１０１ｃが積層されている。第１基板１００と第２基板１０１の間に液晶層１０２が封入され、画素電極１００ｂと透明電極１０１ｂの間に電圧を印加することで液晶分子１０２ａの配列が変化し、画素の透過率を制御している。
【０００４】
図１４（ａ）の場合、配向膜１００ｃに垂直配向処理を、配向膜１０１ｃに水平配向処理を施し、更に配向膜１０１ｃを２つの領域に分割して液晶分子１０２ａの立ち上がりの回転方向が逆方向になるようにしている。こうして１画素内に液晶分子１０２ａの立ち上がり回転方向の異なるハイブリッド配向領域を設けている。
【０００５】
また図１４（ｂ）の場合、配向膜１００ｃ、１０１ｃをそれぞれ２つの領域に分割し、配向膜１００ｃ、１０１ｃはそれぞれ一方の領域に垂直配向処理を、他方の領域に水平配向処理を施している。そして配向膜１００ｃの垂直配向部分と配向膜１０１ｃの水平配向部分が対向し、配向膜１００ｃの水平配向部分と配向膜１０１ｃの垂直配向膜部分が対向するように第１基板１００と第２基板１０１とを配置し、１画素内に垂直配向と水平配向が互いに逆になった２つのハイブリット配向領域を設けている。
【０００６】
【発明が解決しようとする課題】
従来の液晶表示装置のように、１画素内に水平配向の配向方向が同一方向で且つ液晶分子が互いに逆方向に傾斜方向する２つの領域を設けた場合、配向膜の水平配向の配向方向については２つの領域の液晶分子が互いに視角を補償して広視角化が期待されるが、配向膜の水平配向の配向方向と直交する方向については２つの領域による視角の補償があまり期待できず、広視角が望めなかった。
【０００７】
また、画素毎に配列方向及び液晶分子の傾斜方向を異ならせ、任意の２つの画素に水平配向方向が同一でそれぞれの液晶分子の傾斜方向が逆方向になる関係を設定して、複数の画素群によって１方向以上の配向方向における視角特性の改善をする液晶表示装置がある。しかし画素の配列状態によっては水平配向が同一方向で液晶分子が逆方向に傾斜する関係の２つの画素が常に同時に点灯／消灯するとは限らず、こうした表示パターン形状が視角補償に影響してしまい、視角特性の十分な改善ができなかった。
【０００８】
そこで本発明は、広視角化が実現でき、高速応答な液晶表示装置を提供することを目的とする。
【０００９】
【課題を解決するための手段】
上記課題を解決するために請求項１記載の本発明は、それぞれ配向膜が積層された一対の基板間に液晶層を介在させた液晶表示装置において、１画素を少なくとも４つの領域に分割し、各々の領域内では一方の基板の配向膜に垂直配向が施されると共に他方の基板の配向膜に水平配向が施され、各領域は隣接しない領域のなかに対の関係にある領域が存在し、この対をなす領域は、水平配向が同一の配向膜に同一方向に施される共に、その配向膜の水平配向によって傾斜する液晶分子の傾斜方向が逆方向になり、また前記基板の前記配向膜には領域毎に水平配向若しくは垂直配向が施され、隣接する領域には互いに異なる種類の配向処理が施されていることを特徴とする。
【００１１】
また請求項２記載の発明は、配向膜の水平配向によって傾斜する液晶分子のプレチルト角が４５度以下であることを特徴とする。
【００１２】
また請求項３記載の発明は、１画素を４つの領域に分割し、この領域はそれぞれ１画素における４隅に位置するように配置され、１画素の対角線上に位置する２つの領域が対の関係にあることを特徴とする。
【００１３】
また請求項４記載の発明は、１画素を４つの領域に分割し、この領域はそれぞれ１画素内に平行に並べて配置され、１つの領域を挟んで並んでいる２つの領域が対の関係にあることを特徴とする。
【００１４】
また請求項５記載の発明は、分割された領域がほぼ等面積であることを特徴とする。
【００１５】
また請求項６記載の発明は、配向膜の水平配向部分の配向方向が直交するように一対の基板を配置し、基板間に負の誘電率異方性を有する液晶を介在させ、一対の基板を挟み込むように配置すると共に互いの透過軸又は吸収軸が直交するように配置した一対の偏光板とを備え、偏光板を対向する基板の配向膜に施された水平配向の配向方向と透過軸又は吸収軸が平行になるように配置したことを特徴とする。
【００１６】
また請求項７記載の発明は、配向膜の水平配向部分の配向方向が直交するように一対の基板を配置し、基板間に正の誘電率異方性を有する液晶を介在させ、一対の基板を挟み込むように配置すると共に互いの透過軸又は吸収軸が直交するように配置した一対の偏光板とを備え、偏光板を対向する基板の配向膜に施された水平配向の配向方向と透過軸又は吸収軸が４５度をなすように配置したことを特徴とする。
【００１７】
また請求項８記載の発明は、基板の配向膜に垂直配向膜を用い、水平配向を施す領域に直線偏光された紫外線を照射して水平配向部分を形成したことを特徴とする。
【００１８】
【発明の実施の形態】
以下、本発明の実施の形態を図に基づいて説明する。図１及び図２は、本発明の液晶表示装置の１画素における液晶分子の動作状態を示す概略図であり、図１は液晶表示装置がオフ状態のときを示し、図２は液晶表示装置がオン状態のときを示している。図３は本発明の液晶表示装置における図１のＡ−Ａ線に沿った断面の概略図である。なお、この第１の実施例ではノーマリブラックの場合を説明する。
【００１９】
第１基板１はガラス基板１ａ上に画素電極１ｂ、配向膜１ｃを積層し、第２基板２はガラス基板２ａ上に透明電極２ｂ、配向膜２ｃを積層している。第１基板１上にスペーサを散布させた後、第１基板１と第２基板２をそれぞれの配向膜１ｃ、２ｃが向かい合うように所定の位置に対向配置し、両基板１、２の周辺をシール剤で固着している。第１、第２基板１、２間に誘電率異方性が負のネマテック液晶３が封入され、液晶分子４が配向膜１ｃ、２ｃの影響によって後述する配列を保っている。第１基板１の下方には下偏光板５が配置され、第２基板２の上方には上偏光板６が配置されている。
【００２０】
図４は１画素内の配向膜における配向状態を示す図であり、実線は配向膜２ｃに係わるものであり、点線は配向膜１ｃに係わるものである。また矢印が配向の方向を示し、円状又は楕円状のものが液晶分子４を示す。
【００２１】
配向膜１ｃ、２ｃはそれぞれほぼ等面積である４つの領域Ａ、Ｂ、Ｃ、Ｄに分割され、対角に位置する２つの領域に水平配向又は垂直配向のうち同種の配向処理が施されている。つまり配向膜１ｃの場合、一方の対角に位置する領域Ａ１と領域Ｃ１に水平配向処理を、他方の対角に位置する領域Ｂ１と領域Ｄ１に垂直配向処理を施している。また配向膜２ｃの場合、配向膜１ｃの水平配向の領域Ａ１、Ｃ１と対向し、且つ配向膜２ｃ内の対角に位置する領域Ａ２、Ｃ２に垂直配向処理を施し、配向膜１ｃの垂直配向の領域Ｂ１、Ｄ１と対向し、且つ配向膜２ｃ内の対角に位置する領域Ｂ２、Ｄ２に水平配向処理を施している。更に配向膜１ｃ、２ｃの垂直配向部分Ａ２、Ｃ２、Ｂ１、Ｄ１にも後述する方法によって水平配向と同一方向の配向処理が施されており、図２に示すようにオン状態になったときに配向膜２ｃ（１ｃ）の垂直配向部分Ａ２、Ｃ２（Ｂ１、Ｄ１）の付近に位置する液晶分子４が水平配向部分Ｂ２、Ｄ２（Ａ１、Ｃ１）の液晶分子４と同一方向を向くようになっている。
【００２２】
配向膜１ｃ、２ｃの水平配向Ａ１、Ｃ１、Ｂ２、Ｄ２の領域では液晶分子４がプレチルト角θの傾斜状態になるが、それぞれ対角の領域Ａ１、Ｃ１（Ｂ２、Ｄ２）における液晶分子４が逆方向に傾斜するように配向処理を行う。本発明ではこのプレチルト角を４５度以下に設定する。図１、２、４の配向膜１ｃ、２ｃの矢印７の向きは液晶分子４の傾斜方向を示し、配向膜１ｃ、２ｃの表面に対する法線からみて傾斜している方向と一致する。つまり矢印７は、傾斜している液晶分子４のうち配向膜１ｃ、２ｃに近い方から遠ざかる方に対して向いている。なお垂直配向Ａ１、Ｃ１、Ｂ２、Ｄ２の領域における矢印７の向きは、オン時（図２）に液晶分子４が傾斜したときの傾斜方向を示す。
【００２３】
配向膜１ｃの配向の方向は全ての領域Ａ１、Ｂ１、Ｃ１、Ｄ１で同一方向であり、液晶分子４の傾斜の向きは領域Ａ１と領域Ｃ１が逆方向になっている。また配向膜２ｃの配向の方向も全ての領域Ａ２、Ｂ２、Ｃ２、Ｄ２において同一方向であり、液晶分子４の傾斜の向きは領域Ｂ２と領域Ｄ２が逆方向になっている。このとき水平配向の領域Ａ１、Ｃ１、Ｂ２、Ｄ２における矢印７の向きはそれぞれ対角に位置する領域Ｃ１、Ａ１、Ｄ２、Ｂ２の矢印７の向きと相反する方向に向いている。また配向膜１ｃの配向方向と配向膜２ｃの配向方向が直交するように設定されている。更に図２に示すようにオン状態になったとき、配向膜２ｃに影響される液晶分子４は領域Ｂ２と領域Ａ２で同じ向きに、領域Ｄ２と領域Ｃ２で同じ向きに傾斜し、配向膜１ｃに影響される液晶分子４は領域Ａ１と領域Ｂ１が同じ向きに、領域Ｃ１と領域Ｄ１が同じ向きに傾斜する。
【００２４】
下偏光板５の透過軸５ａは配向膜１ｃの配向方向と同一方向に設定され、上偏光板６の透過軸６ａは配向膜２ｃの配向方向と同一方向に設定されている。従って上偏光板５と下偏光板６の透過軸５ａ、６ａは互いに直交するようになっている。なお、偏光板５、６の配置を、透過軸５ａ、６ａの代わりに吸収軸を基準にして設定しても良く、この場合も上偏光板６と下偏光板５の吸収軸が直交し、それぞれの吸収軸が対向する配向膜２ｃ、１ｃの水平配向方向と同一方向若しくは直交方向に位置するように設定する。
【００２５】
図１の液晶表示装置がオフ状態のときを示すので、下偏光板５を通過した直線偏光は液晶分子４をそのまま通過し上偏光板６に達する。このとき上偏光板６の透過軸６ａは下偏光板５の透過軸４ａと９０度を成すので、直線偏光は上偏光板６で遮断され、表示が黒モードになる。
【００２６】
このとき、対角に位置する領域Ａ、Ｃ（Ｂ、Ｄ）の水平配向された液晶分子４が逆方向に傾斜し、４５度以下のプレチルト角θを有しているので、この２つの領域Ａ、Ｃ（Ｂ、Ｄ）の液晶分子４が互いに視角を補償し、広視角を実現する。図３に基づき説明すると、領域Ｂ及び領域Ｄに位置する液晶分子４はそれぞれ配向膜２ｃから配向膜１ｃにかけて徐々に立ち上がるように配列する。このとき例えば領域Ｂにある液晶分子４ｂに対し、互いの長軸の向きが直交する液晶分子４ｄが領域Ｄに存在する。したがって液晶分子４ｂのレタデーションと液晶分子４ｄのレタデーションが打ち消し合い、視角依存性を改善する。このように領域Ｂの液晶分子４に対し長軸が直交する関係にある液晶分子４が領域Ｄに存在するため、領域Ｂと領域Ｄの液晶分子同士が互いに作用する。また、領域Ａと領域Ｃにも同様の効果が得られ、配向膜１ｃの配向方向についても視角が補償される。本発明では１画素内において直交する２方向（配向膜１ｃの配向方向と配向膜２ｃの配向方向）について視角が補償されるので、１画素の視角が広く改善される。
【００２７】
さらに、１画素内の各領域の配置を、配向膜における配向の種類が隣接する領域で異なるようにしている。例えば配向膜２ｃの場合、垂直配向が施されている領域Ａ２、Ｃ２に隣接する領域Ｂ２、Ｄ２には水平配向が施されている。また配向膜１ｃについても同様に、垂直配向が施されている領域Ｂ１、Ｄ１に隣接する領域Ａ１、Ｃ１には水平配向が施されている。このように単一の配向膜において隣接する領域と異なる種類の配向処理を施すことによって、隣接する領域に液晶分子４の傾斜方向の異なる同種の配向処理を施す場合と比べて、領域の境界における液晶分子４の配列の乱れを少なくして、ディスクリネーションラインの発生を抑えることができる。
【００２８】
図２は液晶表示装置をオン状態にした場合である。このとき液晶層３の誘電率異方性が負であるので、液晶分子４はオフ状態における水平配向領域から垂直配向領域の方に進むにしたがって左方向に捻れ、また配向膜１ｃと配向膜２ｃの間で捻れる角度は９０度になる。したがって配向膜１ｃの全領域Ａ１、Ｂ１、Ｃ１、Ｄ１の液晶分子４は同一方向に水平配向し、配向膜２ｃの全領域Ａ２、Ｂ２、Ｃ２、Ｄ２の液晶分子４も同一方向に水平配向する。更に、領域Ａと領域Ｂの液晶分子４の傾斜方向が同一になり、領域Ｃと領域Ｄの液晶分子４の傾斜方向が同一になり、領域Ｂと領域Ｄの液晶分子４の傾斜方向が逆方向になる。つまり１画素を液晶分子４の配列方向が同じで傾斜する方向が全くの逆方向になる２つの領域に分割することになる。
【００２９】
下偏光板５を通過した直線偏光は捻れた液晶分子４によって偏光状態を変化させながら上偏光板６へ達する。このとき上偏光板６に達した光は入射時の直線偏光と直交方向の直線偏光になって上偏光板６の透過軸６ａと平行方向になるので、光が上偏光板６を通過して白モードになる。
【００３０】
単一の領域の液晶層４でみた場合、オフ時（黒表示）における液晶分子４の配列状態の方がオン時（白表示）における液晶分子４の配列状態のときよりも視角依存性が大きくなる。したがってオフ時は１画素を４つの領域に分割するのに対し、オン時に１画素を２つの領域しか分割できなくても視角特性を十分に向上することができ、コントラスト比も向上する。
【００３１】
次に配向膜２ｃの配向処理工程を説明する。ここでは配向膜２ｃの配向処理を説明するが、配向膜１ｃも同様な処理を行う。図５及び図６は配向膜２ｃの各分子９のつながりを模式的に示した図であり、図５は配向膜２ｃを平面方向から見たときの配列、図６は配向膜２ｃを側面方向から見たときの配列である。
【００３２】
透明電極２ｂ等を形成したガラス基板２ａ上に垂直配向膜を印刷法等によって積層する。このとき配向膜２ｃの分子のつながり方は図５（ａ）に示すように各分子９が主鎖１０を介してＸ−Ｙ方向につながっている。紫外線を偏向プリズム等に通過させて特定の一方向に振動成分を有する直線偏光紫外線（偏光ＵＶ）１１とし、この偏光ＵＶ１１を配向膜２ｃに図５（ａ）に示す向きで照射する。この偏光ＵＶ１１を配向膜２ｃに照射したときは、図５（ｂ）に示すように偏光方向と同一方向にある主鎖１０ａが偏光ＵＶ１１のエネルギーによって切断され、残った主鎖１０ｂが残る。この主鎖１０ｂの方向（Ｘ−Ｘ方向）が配向方向になる。
【００３３】
第２基板２上の垂直配向膜の全領域Ａ２、Ｂ２、Ｃ２、Ｄ２に対して偏光ＵＶ１１を平面と垂直な方向から照射する。このとき偏光ＵＶ１１の振動成分の方向が図５（ａ）に示すように配向膜２ｃの配向方向と直交するように偏光方向を設定する。次に領域Ａ２、Ｃ２、Ｄ２をマスクで覆い、領域Ｂ２へ偏光ＵＶ１１を照射する。この偏光ＵＶ１１を照射する前の領域Ｂ２の配向膜２ｃを側面方向からみると、図６（ａ）に示すように各分子９は主鎖１０ｂを介してつながり、各分子９から上方に側鎖１２が伸びている。そこで領域Ｂ２に照射する偏光ＵＶ１１は、その振動成分の方向が領域Ｂ２において液晶分子４を傾けさせたい方向とほぼ直交するように設定する。この偏光ＵＶ１１を照射することで図６（ｂ）に示すように偏光ＵＶ１１の偏光方向と同一方向にある側鎖１２ｂが偏光ＵＶ１１のエネルギーを吸収して切断され、液晶分子４の傾斜方向と同一方向の側鎖１２ａが残る。この残った側鎖１２ａの影響によって領域Ｂ２の液晶分子４が決まった方向に傾斜する。その後、領域Ａ２、Ｂ２、Ｃ２をマスクで覆い、領域Ｄ２に液晶分子４の傾斜方向とほぼ直交する偏光ＵＶ１１を照射し、水平配向処理を行う。こうして配向膜２ｃの全領域Ａ２、Ｂ２、Ｃ２、Ｄ２に亘って同一方向に配向され、領域Ａ２、Ｃ２は垂直配向、領域Ｂ２と領域Ｄ２は液晶分子４の傾きが逆方向となる水平配向が施される。
【００３４】
図７は複数の画素の配置を示す図であり、１画素はマトリクス状に配置された走査線１３と信号線１４によって仕切られている。そして１画素を４つの領域Ａ、Ｂ、Ｃ、Ｄに分割しているが、１画素における各領域Ａ、Ｂ、Ｃ、Ｄの位置は全ての画素で同じ配列になっている。１画素内に存在する領域を全て配置し、各画素における領域の配列を同じにしているので、１画素毎に視角補償が行えると共に各画素の配列に基づく点灯のばらつきによる視角補償への影響を取り除くことができる。
【００３５】
図８は第２の実施例、図９は第３の実施例であり、この２つの実施例は第１の実施例と１画素内の４つの領域における配向の向きが異なっている。
【００３６】
図８及び図９はオフ時における１画素内の液晶分子４の状態を模式的に示す図であり、配向膜２ｃの状態を実線で、配向膜１ｃの状態を点線で示す。また矢印７が配向方向を示し、楕円又は円が液晶分子４の状態を示している。
【００３７】
第２の実施例の場合、図８に示すように１画素における４つの隅にそれぞれ異なる領域をほぼ等面積になるように分割し、配向膜２ｃは全領域Ａ２、Ｂ２、Ｃ２、Ｄ２に亘って図８のＹ軸方向へ、配向膜１ｃは全領域Ａ１、Ｂ１、Ｃ１、Ｄ１に亘ってＸ軸方向へ第１の実施例で説明したような配向処理が施されている。この配向膜２ｃと配向膜１ｃの配向方向が９０度になるように設定されている。そして配向膜２ｃの領域Ａ２、Ｃ２には垂直配向が施され、領域Ｂ２、Ｄ２には水平配向が施されている。また配向膜１ｃの領域Ａ１、Ｃ１には水平配向が施され、領域Ｂ１、Ｄ１には垂直配向が施されている。水平配向の領域における液晶分子４の傾斜方向は、対角に位置する領域の液晶分子４の傾斜方向と逆方向になるように設定されている。
【００３８】
第２の実施例の場合も第１の実施例と同様に、配向膜１ｃの配向方向と配向膜２ｃの配向方向は直交し、上偏光板６の透過軸６ａ（又は吸収軸）と下偏光板５の透過軸５ａ（又は吸収軸）は直交するように設定される。また配向膜２ｃの配向方向と上偏光板６の透過軸６ａが平行し、配向膜１ｃの配向方向と下偏光板５の透過軸５ａが平行するように配置される。
【００３９】
第３の実施例の場合、図９に示すように１画素に４つの領域Ａ、Ｂ、Ｃ、Ｄが平行に並んで配置され、配向膜１ｃは全領域Ａ１、Ｂ１、Ｃ１、Ｄ１に亘って図９のＸ軸方向に、配向膜２ｃは全領域Ａ２、Ｂ２、Ｃ２、Ｄ２に亘って図９のＹ軸方向に第１の実施例で説明した配向処理が施されている。そして配向膜２ｃの領域Ａ２、Ｃ２には垂直配向が施され、領域Ｂ２、Ｄ２には水平配向が施されている。また配向膜１ｃの領域Ａ１、Ｃ１には水平配向が施され、領域Ｂ１、Ｄ１には垂直配向が施されている。また単一の配向膜では、水平配向の領域における液晶分子４の傾斜方向は他方の領域における液晶分子４の傾斜方向と逆方向になるように設定されている。
【００４０】
第３の実施例の場合も第１の実施例と同様に、上偏光板６の透過軸６ａ（又は吸収軸）と下偏光板５の透過軸５ａ（又は吸収軸）は直交するように設定され、配向膜２ｃの配向方向と上偏光板６の透過軸６ａが平行し、配向膜１ｃの配向方向と下偏光板５の透過軸５ａが平行するように配置される。
【００４１】
こうした配置の第２、３の実施例は１画素内に液晶分子４の配列状態の異なる領域がオフ時に４つ、オン時に２つ発生し、各領域の液晶分子４が互いに持っているレタデーションを相殺するので、視角特性が向上する。
【００４２】
またオフ時の１画素内における各領域の配置が、配向膜における配向の種類が隣接する領域で異なるようにしているので、領域の境界における液晶分子４の配列の乱れを抑えることができ、ディスクリネーションラインの発生を抑えることができる。
【００４３】
次に図１０及び図１１に基づきノーマリホワイトである第４の実施例を説明する。図１０はオフ時の液晶分子４の状態を示す概略図であり、図１１はオン時の液晶分子４の状態を示す概略図である。なおこの第４の実施例は第１の実施例と比べて、液晶層の誘電率異方性、配向膜の配向状態、偏光板の配置が異なるが、その他の構成は同じである。
【００４４】
１画素分の配向膜１５は４つの領域Ａ３、Ｂ３、Ｃ３、Ｄ３に分割され、領域Ａ３、Ｃ３は水平配向に、領域Ｂ３、Ｄ３は垂直配向になっている。配向膜１６も配向膜１５と同様に四つの領域Ａ４、Ｂ４、Ｃ４、Ｄ４に分割され、領域Ａ４、Ｃ４は垂直配向に、領域Ｂ４、Ｄ４は水平配向になっていて、配向膜１５の水平配向の方向と配向膜１６の水平配向の方向が直交するように設定されている。水平配向の領域Ａ３、Ｃ３、Ｂ４、Ｄ４では液晶分子４がプレチルト角θを持って傾斜するが、第１の実施例と同様にそれぞれ対角する領域（Ａ３とＣ３、Ｂ４とＤ４）の液晶分子４が逆方向に傾斜するようになっている。第１の実施例では垂直配向の領域にも水平配向と同一方向への配向処理を行ったが、第４の実施例では垂直配向の領域Ｂ３、Ｄ３、Ａ４、Ｃ４にはそのような配向処理を行っていない。
【００４５】
この２枚の配向膜１５、１６の間には正の誘電率異方性を有する液晶層が介在し、図１０に示すようにオフ状態のときは、液晶分子４は配向膜１５、１６の影響によって領域Ａ、Ｃでは配向膜１５側が水平配列、配向膜１６側が垂直配列し、領域Ｃ、Ｄでは配向膜１５側が垂直配列、配向膜１６側が水平配列したハイブリット配列になる。下偏光板１８と上偏光板１９は、互いの透過軸１８ａ、１９ａ（又は吸収軸）の方向が直交するように配置され、各偏光板１８、１９は対応する配向膜１５、１６の水平配向の配向方向１７と透過軸１８ａ、１９ａ（又は吸収軸）が４５度をなすように配置されている。つまり下偏光板１８は配向膜１５の水平配向の配向方向１７と４５度の方向へ透過軸１８ａが設定され、上偏光板１９は配向膜１６の水平配向の配向方向１７と４５度の方向へ透過軸１９ａが設定される。
【００４６】
下偏光板１８を通過した直線偏光は配向膜１５、１６間の液晶分子４を通過して上偏光板１９へ達する。液晶分子４が図１０に示す配列状態の場合、液晶分子４の複屈折効果により入射光は直線偏光から楕円偏光に偏光されるので、この入射光は上偏光板１９を通過して白表示になる。
【００４７】
図１１に示すようにオン状態のときは、配向膜１５、１６の水平配向領域Ａ３、Ｃ３、Ｂ４、Ｄ４の付近に位置する液晶分子４は配向膜１５、１６の影響を受けて水平状態を維持するが、それ以外の液晶分子４は配向膜１５、１６に垂直な方向に配列する。したがって下偏光板１８を通過した直線偏光は液晶分子４によってあまり偏光されることなく通過し、上偏光板１９に達した光は下偏光板１８を通過したときの直線偏光と同一方向の直線偏光の状態をほぼ維持する。そのためこの直線偏光は上偏光板１９によって遮断され、黒表示になる。
【００４８】
この第４の実施例の配向膜１６は次の順序で配向処理が行われる。なお、紫外線を照射して配向方向を決定する処理方法の原理は第１の実施例と同じである。またここでは配向膜１６の場合を説明するが、配向膜１５についても同様の処理が行われる。
【００４９】
まず透明電極等を形成したガラス基板上に垂直配向膜を印刷法等によって積層する。そして垂直配向部分である領域Ａ４、Ｃ４をマスクし、領域Ｂ４、Ｄ４に偏光ＵＶ１１を配向膜１６の平面と垂直方向から照射する。このとき偏光ＵＶ１１は図５に示すように、その振幅成分の方向が水平配向の配向方向７と直交するように偏光ＵＶ１１の偏光方向を設定する。次に領域Ａ４、Ｃ４、Ｄ４をマスクして領域Ｂ４のみに偏光ＵＶ１１を照射する。このとき偏光ＵＶ１１は図６に示すように、その振幅成分の方向が領域Ｂ４において傾斜する液晶分子４の長軸方向とほぼ直交し且つ前回の照射による配向方向と平行するように設定する。その後、領域Ａ４、Ｂ４、Ｃ４をマスクして領域Ｄ４のみに偏光ＵＶ１１を照射する。このときの偏光ＵＶ１１の方向も、その振幅成分の方向が領域Ｂ４において傾斜する液晶分子４の長軸方向とほぼ直交し且つ１回目の照射による配向方向と平行するように設定する。こうして３回の照射により配向膜１５の配向処理が行われる。
【００５０】
この第４の実施例では、オフ時に１画素内に液晶分子４の配列状態の異なる領域Ａ、Ｂ、Ｃ、Ｄが４つ発生し、それぞれ対角に位置する液晶分子４の傾斜が逆方向になっているので、対角に位置する領域（ＡとＣ、ＢとＤ）の液晶分子４が相互に補償しあって視角特性が改善される。
【００５１】
またオフ時の１画素内における各領域の配置が、配向膜における配向の種類が隣接する領域で異なるようにしているので、領域の境界における液晶分子４の配列の乱れを抑えることができ、ディスクリネーションラインの発生を抑えることができる。
【００５２】
図１２及び図１３はオフ時における１画素内の配向方向１７と液晶分子４の状態を模式的に示す図であり、配向膜１６の状態を実線で、配向膜１５の状態を点線で示す。また矢印１７が配向方向を示し、楕円又は円が液晶分子４の状態を示している。
【００５３】
図１２に示す第５の実施例の場合、１画素を図１２に示すＸ−Ｙ方向に４つに区切り、各領域がほぼ等面積になるように分割する。そして配向膜１６の領域Ａ４、Ｃ４には垂直配向が、領域Ｂ３、Ｄ３にはＸ軸方向に水平配向が施されている。また配向膜１５の領域Ａ３、Ｃ３にはＹ軸方向に垂直配向が、領域Ｂ３、Ｄ３には垂直配向が施されている。なお、領域Ａ３と領域Ｃ３、領域Ｂ４と領域Ｄ４はそれぞれ液晶分子４の傾斜方向が逆方向になっている。
【００５４】
第５の実施例の場合も第４の実施例と同様に、配向膜１４の配向方向１７と配向膜１５の配向方向１７は直交し、上偏光板１９の透過軸１９ａ（又は吸収軸）と下偏光板１８の透過軸１８ａ（又は吸収軸）が直交するように設定される。また配向膜１６の配向方向１７と上偏光板１９の透過軸１９ａが４５度に、配向膜１５の配向方向１７と下偏光板１８の透過軸１８ａが４５度になるように配置される。
【００５５】
図１３に示す第６の実施例の場合、１画素を図１３に示すＹ方向にほぼ等面積の４つの領域Ａ、Ｂ、Ｃ、Ｄが並ぶように分割する。そして配向膜１６の領域Ａ４、Ｃ４には垂直配向が、領域Ｂ４、Ｄ４にはＹ方向に水平配向が施されている。また配向膜１５の領域Ａ３、Ｃ３にはＸ方向に水平配向が、領域Ｂ３、Ｄ３には垂直配向が施されている。なお、領域Ａと領域Ｃ、領域Ｂと領域Ｄはそれぞれ液晶分子の傾斜方向が逆方向になっている。
【００５６】
第６の実施例の場合も第４の実施例と同様に、配向膜１４の配向方向１７と配向膜１５の配向方向１７は直交し、上偏光板１９の透過軸１９ａ（又は吸収軸）と下偏光板１８の透過軸１８ａ（又は吸収軸）が直交するように設定される。また配向膜１６の配向方向１７と４５度をなす方向に上偏光板１９の透過軸１９ａが、配向膜１５の配向方向１７と４５度をなす方向に下偏光板１８の透過軸１８ａが位置するように両偏光板１８、１９の配置を調整する。
【００５７】
第５、６の実施例の液晶分子４は第４の実施例と同じ動作をするので、１画素内に各領域Ａ、Ｂ、Ｃ、Ｄをこのように配置したときでも、オフ時に１画素内に液晶分子の配列状態の異なる４つの領域が発生し、各領域の液晶分子が互いに持っているレタデーションを相殺するので、視覚特性が向上する。
【００５８】
また、１画素内の各領域の配置を、単一の配向膜における領域には隣接する領域と異なる種類の配向処理が施されるように設定している。つまり垂直配向の領域と隣接する領域には水平配向が施された領域が配置されているので、１画素内を液晶分子の配列状態の異なる４つの領域を設けた場合でも、各領域の境界における液晶分子の配列の乱れを抑えることができ、ディスクリネーションラインの発生を抑制することができる。
【００５９】
【発明の効果】
以上のように本発明の液晶表示装置は、１画素内を複数の領域に分割し、各領域毎に一方の配向膜に垂直配向が他方の配向膜に水平配向が施され、複数の領域内に配向方向が同一で液晶分子の傾斜方向が逆方向になる対の関係にある領域が存在するので、その対の関係にある領域の液晶分子が相互にレタデーションを相殺し合い、視角特性が向上する。
【００６０】
特に、対の関係にある領域を１画素内に設けているので、液晶分子による視角特性の補償に画素の配列に基づく表示状態の影響を抑えることができ、十分な視角特性の改善が実現できる。
【００６１】
また１画素内における各領域の配向膜には、隣接する領域と異なる種類の配向処理が行われているので、領域の境界における液晶分子の配列の乱れを抑えることができ、ディスクリネーションラインの発生を抑えることができる。
【図面の簡単な説明】
【図１】本発明の一実施例であるノーマリブラックモードの液晶表示装置のオフ時における液晶分子の配列状態を示す概略図である。
【図２】本発明の一実施例であるノーマリブラックモードの液晶表示装置のオン時における液晶分子の配列状態を示す概略図である。
【図３】本発明の一実施例である液晶表示装置の図１のＡ’−Ａ’線に沿った断面における概略図である。
【図４】本発明の一実施例である液晶表示装置における１画素分の配向膜の配向状態を示す図である。
【図５】本発明の配向膜を平面方向から見たときの各分子のつながりを模式的に示した図である。
【図６】本発明の配向膜を側面方向から見たときの各分子のつながりを模式的に示した図である。
【図７】本発明の液晶表示装置における複数の画素の配置を示す図である。
【図８】本発明の他の実施例である液晶表示装置における１画素分の配向膜の配向状態を示す図である。
【図９】本発明の他の実施例である液晶表示装置における１画素分の配向膜の配向状態を示す図である。
【図１０】本発明の一実施例であるノーマリホワイトモードの液晶表示装置のオフ時における液晶分子の配列状態を示す概略図である。
【図１１】本発明の一実施例であるノーマリホワイトモードの液晶表示装置のオン時における液晶分子の配列状態を示す概略図である。
【図１２】本発明の他の実施例である液晶表示装置における１画素分の配向膜の配向状態を示す図である。
【図１３】本発明の他の実施例である液晶表示装置における１画素分の配向膜の配向状態を示す図である。
【図１４】従来の液晶表示装置の１画素分における液晶分子の配列状態を示した図である。
【符号の説明】
１ｃ  配向膜
２ｃ  配向膜
４    液晶分子
５    下偏光板
６    上偏光板
７    配向方向
１５  配向膜
１６  配向膜
１７  配向方向
１８  下偏光板
１９  上偏光板
【図１】
0003639490.tif 000002
【図２】
0003639490.tif 000003
【図３】
0003639490.tif 000004
【図４】
0003639490.tif 000005
【図５】
0003639490.tif 000006
【図６】
0003639490.tif 000007
【図７】
0003639490.tif 000008
【図８】
0003639490.tif 000009
【図９】
0003639490.tif 000010
【図１０】
0003639490.tif 000011
【図１１】
0003639490.tif 000012
【図１２】
0003639490.tif 000013
【図１３】
0003639490.tif 000014
【図１４】
0003639490.tif 000015